(57)【要約】【課題】歌唱者の歌唱の巧拙さを採点する場合に、従来の採点基準データだけでなく、同じ楽曲において最も高い得点を得た歌唱データも採点の基準とすることで、従来と比較してより多角的な採点を行うことができる技術を提供することを目的とする。【解決手段】歌唱者の歌唱音声が音声入力部によって収音され、オーディオ信号（以下、歌唱データ）に変換される。カラオケ装置の制御部は、歌唱データから音高と音量とを検出する。制御部は、歌唱データと採点基準データ、歌唱データと歌唱基準データのそれぞれに対応する音高と音量とを比較して両者の差分に応じて歌唱の採点を行う。そして、採点基準データと歌唱基準データに基づいて算出された採点結果を、採点比重テーブルに記述された比重を加味して歌唱者の歌唱の技巧を採点する。【選択図】図１
2010237258.tif 000002
【特許請求の範囲】
【請求項１】
楽曲の旋律を表す第一のデータと、当該楽曲の歌唱音声を表す第二のデータとを記憶する記憶手段と、
評価対象となる歌唱音声を表す歌唱データを取得する取得手段と、
前記歌唱データと前記第一のデータとを比較し、前記歌唱データと前記第二のデータとを比較する比較手段と、
前記歌唱データと前記第一のデータとの比較結果、及び、前記歌唱データと前記第二のデータとの比較結果に基づいて、当該歌唱データが表す歌唱音声による歌唱を評価し、その評価結果を出力する評価手段と
を備える歌唱評価装置。
【請求項２】
前記記憶手段は、
前記取得手段により取得された歌唱データを前記第二のデータとして記憶するとともに、当該歌唱データが表す歌唱音声による歌唱が前記評価手段により評価されたときの評価結果を記憶し、
前記評価手段により評価された評価結果が自記憶手段に記憶されている評価結果を超えた場合には、自記憶手段に記憶されている歌唱データ及び評価結果に代えて、当該評価手段により評価された歌唱データ及び当該歌唱データが表す歌唱音声による歌唱に対する評価結果を記憶する
ことを特徴とする請求項１記載の歌唱評価装置。
【請求項３】
前記評価手段は、
前記記憶手段に記憶されている前記評価結果が高いほど、前記歌唱データと前記第一のデータとの比較結果よりも前記歌唱データと前記第二のデータとの比較結果に高い比重を置いて評価する
ことを特徴とする請求項２記載の歌唱評価装置。
【発明の詳細な説明】
【技術分野】
【０００１】
本発明は、歌唱を評価する技術に関する。
【背景技術】
【０００２】
カラオケ装置において歌唱者の歌唱の巧拙を採点する方法や、その採点結果を各種の目的に利用するための方法が種々提案されている。例えば、特許文献１においては、複数の歌唱者から投稿された区間毎に採点結果が付与された歌唱データから、同一区間において最も高い採点の歌唱データを区間毎に抽出し、それらを繋ぎ合わせることで、模範となる歌唱データを生成する技術が開示されている。
【先行技術文献】
【特許文献】
【０００３】
【特許文献１】特開２００５−２４１８４８号公報
【発明の概要】
【発明が解決しようとする課題】
【０００４】
ところで、歌唱者の歌唱の巧拙を採点する場合に、その基準となる採点基準データは、楽曲の旋律を示す音高や拍の長さなどを示すデータである。したがって、歌唱者は、楽曲の旋律どおりに歌唱すると採点結果が高得点となるが、音符の長さを意図的に変化させて歌唱する歌唱技巧、例えば「ため」や「しゃくり」などを用いて歌唱すると、楽曲の旋律と歌唱とが一致しないため、かえって採点結果が低い点数になってしまう。
本発明は上述した背景の下になされたものであり、歌唱者の歌唱を評価する場合に、楽曲の旋律という評価基準以外に、歌唱者の歌唱技巧に関する評価基準を用いて評価を行うことを目的とする。
【課題を解決するための手段】
【０００５】
本発明は、楽曲の旋律を表す第一のデータと、当該楽曲の歌唱音声を表す第二のデータとを記憶する記憶手段と、評価対象となる歌唱音声を表す歌唱データを取得する取得手段と、前記歌唱データと前記第一のデータとを比較し、前記歌唱データと前記第二のデータとを比較する比較手段と、前記歌唱データと前記第一のデータとの比較結果、及び、前記歌唱データと前記第二のデータとの比較結果に基づいて、当該歌唱データが表す歌唱音声による歌唱を評価し、その評価結果を出力する評価手段とを備える歌唱評価装置を提供する。
【０００６】
前記記憶手段は、前記取得手段により取得された歌唱データを前記第二のデータとして記憶するとともに、当該歌唱データが表す歌唱音声による歌唱が前記評価手段により評価されたときの評価結果を記憶し、前記評価手段により評価された評価結果が自記憶手段に記憶されている評価結果を超えた場合には、自記憶手段に記憶されている歌唱データ及び評価結果に代えて、当該評価手段により評価された歌唱データ及び当該歌唱データが表す歌唱音声による歌唱に対する評価結果を記憶するようにしてもよい。
【０００７】
前記評価手段は、前記記憶手段に記憶されている前記評価結果が高いほど、前記歌唱データと前記第一のデータとの比較結果よりも前記歌唱データと前記第二のデータとの比較結果に高い比重を置いて評価するようにしてもよい。
【０００８】
また、本発明は、コンピュータを、楽曲の旋律を表す第一のデータと、当該楽曲の歌唱音声を表す第二のデータとを記憶する記憶手段と、評価対象となる歌唱音声を表す歌唱データを取得する取得手段と、前記歌唱データと前記第一のデータとを比較し、前記歌唱データと前記第二のデータとを比較する比較手段と、前記歌唱データと前記第一のデータとの比較結果、及び、前記歌唱データと前記第二のデータとの比較結果に基づいて、当該歌唱データが表す歌唱音声による歌唱を評価し、その評価結果を出力する評価手段として実現させるためのプログラムを提供する。
【発明の効果】
【０００９】
本発明によれば、歌唱者の歌唱を評価する場合に、楽曲の旋律という評価基準以外に、歌唱者の歌唱技巧に関する評価基準を用いて評価を行うことができる。
【図面の簡単な説明】
【００１０】
【図１】カラオケ装置１の構成を示すブロック図である。
【図２】楽曲データ２の構造を示す図である。
【図３】採点リファレンスデータ３の構造を示す図である。
【図４】採点比重テーブル１２４の内容の一例を示す図である。
【図５】採点処理の流れを示すフローチャートである。
【図６】カラオケシステム６のハードウェア構成を示すブロック図である。
【発明を実施するための形態】
【００１１】
以下、図面を参照して、本発明の実施形態について説明する。
（１）構成
図１は、カラオケ装置１の構成を示すブロック図である。
カラオケ装置１は、制御部１１、記憶部１２、表示部１３、操作部１４、音声入力部１５、音声処理部１６、及び音声出力部１７を備えており、歌唱者の歌唱を評価する歌唱評価装置として機能する。制御部１１は、ＣＰＵ（Central Processing Unit）と、ＲＯＭ（Read Only Memory）と、ＲＡＭ（Random Access Memory）とを備えており、ＲＯＭ又は記憶部１２に記憶されているコンピュータプログラムを読み出して実行することにより、バスを介してカラオケ装置１の各部を制御する。表示部１３は、ＶＲＡＭ（Video RAM）、液晶ディスプレイ及び液晶駆動回路を備えており、制御部１１による制御の下で各種の画像を表示する。操作部１４は、楽曲を選択したり、歌唱の採点を実施する動作モード（以下、採点モードと称する）を選択したりするための種々のキーを備えており、歌唱者の操作を受け付けてその操作に応じた信号を制御部１１に出力する。音声入力部１５は、例えばマイクロホンであり、収音し、収音した音声を表すオーディオ信号（アナログ信号）を出力する。音声処理部１６は、音声入力部１５から入力されたアナログ信号をデジタルデータに変換したり、制御部１１から供給されるデジタルデータをアナログ信号に変換して音声出力部１７に出力したりする。また、音声処理部１６は、デジタルデータに変換した歌唱者の音声から、制御部１１の採点処理に必要な情報を抽出する。音声出力部１７は、例えばスピーカーであり、音声処理部１６でデジタルデータからアナログ信号に変換されて出力されるオーディオ信号に応じた音を放音する。
【００１２】
記憶部１２は、制御部１１によって実行されるコンピュータプログラムやその実行時に使用されるデータを記憶するための記憶手段であり、例えばＨＤ（Hard Disk）などの不揮発性の補助記憶装置である。この記憶部１２は、楽曲データ記憶領域１２１と採点リファレンスデータ記憶領域１２２とを有しており、採点プログラム１２３と採点比重テーブル１２４とを記憶している。楽曲データ記憶領域１２１には、複数の楽曲の伴奏音や歌詞を表す楽曲データが記憶されている。また、採点リファレンスデータ記憶領域１２２には、歌唱の巧拙を採点する為のデータや、歌唱の巧拙を採点するときの採点基準に関する採点リファレンスデータが記述されている。採点プログラム１２３には、音声入力部１５から入力された歌唱者の歌唱の巧拙を、採点リファレンスデータや採点比重テーブル１２４などを用いて採点結果を算出するための手順が記述されている。
【００１３】
図２は、楽曲データ記憶領域１２１に記憶された楽曲データ２の構造を示す図である。
楽曲データ２は、ヘッダ、伴奏データ、及び歌詞データから構成されている。ヘッダには、楽曲を一意に特定する楽曲番号、楽曲の名称を示す楽曲名、楽曲を様式・内容によって区分するジャンル、及び楽曲の演奏時間を示す楽曲時間などの、楽曲の属性に関するメタデータが含まれている。伴奏データは、歌唱者の歌唱を主たる演奏とした場合に、副次的な演奏となる楽器などによる伴奏音を表すデータである。この伴奏データは、制御部１１により読み出されて音声処理部１６に供給され、その伴奏データに応じた音が音声出力部１７から放音される。歌詞データは、楽曲の歌詞を表すデータであり、制御部１１により伴奏データの読み出しと同期して読み出され、表示部１３に供給される。表示部１３は、供給された歌詞データが表す歌詞を表示する。
【００１４】
図３は、採点リファレンスデータ記憶領域１２２に記憶された採点リファレンスデータ３の構造を示す図である。
採点リファレンスデータ３は、ヘッダ、採点基準データ（第一のデータ）、歌唱基準データ（第二のデータ）、及び得点データから構成されている。ヘッダには、楽曲を一意に特定する楽曲番号などの、楽曲の属性に関するメタデータが記述されている。
採点基準データは、楽曲の旋律を示す音高や拍の長さなどを示すデータであり、歌唱者の歌唱を採点する基準となる。
得点データは、ヘッダに記述された楽曲番号の楽曲の歌唱に対する採点結果の最高得点を表している。
歌唱基準データは、ヘッダに記述された楽曲番号の楽曲の歌唱において最高得点を得たときの歌唱者の歌唱音声を表している。この歌唱基準データは、上記採点基準データと併せて、制御部１１が歌唱者の歌唱を採点する際の基準となる。歌唱基準データは、最高得点を得た歌唱者の生の歌唱音声であるから、その歌唱者の歌唱技巧、例えばため、しゃくり、ビブラートなどの特徴を含んだ情報となる。
【００１５】
図４は、記憶部１２に記憶された採点比重テーブル１２４の内容の一例を示す図である。
採点比重テーブル１２４には、採点リファレンスデータ３の得点データによって表される最高得点の範囲に対応付けて、採点時における採点基準データ及び歌唱基準データの比重が記述されている。図の例の場合、例えば、今までの最高得点が８１〜９９点の楽曲に対する歌唱の採点を行う場合には、採点基準データに基づいて算出された採点結果が１９％の割合で採用され、歌唱基準データに基づいて算出された採点結果が８１％の割合で採用されることを意味している。また、例えば、今までの最高得点が０点或いは記述無し（つまり過去にその歌唱が採点されたことがない）の楽曲に対する歌唱の採点を行う場合には、採点基準データに基づいて算出された採点結果が１００％の割合で採用され、歌唱基準データに基づいて算出された採点結果は一切採用されないということを意味している。このように、採点比重テーブル１２４には、採点基準データに基づいて算出された採点結果と、歌唱基準データに基づいて算出された採点結果のどちらに比重をおいて採点を実施するのかという情報が記述されている。
【００１６】
（２）動作
歌唱者は、カラオケ装置１の操作部１４に設けられた複数のキーを操作することで、歌唱する楽曲の楽曲番号又は楽曲名を入力して歌唱する楽曲を選択し、さらに、動作モードとして採点モードを選択する。操作部１４は、歌唱者の操作を受け付けてその操作に応じた信号を制御部１１に出力する。制御部１１は、選択された楽曲に応じた楽曲データ２を楽曲番号又は楽曲名をキーにして楽曲データ記憶領域１２１から読み出してＲＡＭに記憶させる。また、制御部１１は、採点リファレンスデータ３を採点リファレンスデータ記憶領域１２２から読み出してＲＡＭに転送して記憶させる。
【００１７】
まず、歌唱者が、カラオケ装置１による伴奏及び歌詞の案内に従って歌唱を行うときの処理を説明する。
制御部１１は、ＲＡＭに記憶された伴奏データを音声処理部１６に対して順次出力する。音声処理部１６は、デジタルデータである伴奏データをアナログ信号に変換して音声出力部１７に出力して、音声出力部１７から伴奏データに応じた音を放音させる。この放音された音が、歌唱者が歌唱する際の伴奏となる。また、この伴奏出力と同期して、制御部１１は、ＲＡＭに記憶された歌詞データを表示部１３に対して順次出力する。表示部１３は、歌詞データに応じた歌詞を表示する。このように、伴奏データが表す伴奏が音声出力部１７から出力されるのと同時に、歌詞データが表す歌詞が表示部１３に表示されるので、歌唱者はこれらの伴奏及び歌詞の案内に従って歌唱を行う。この歌唱音は、音声入力部１５によって収音され、音声処理部１６による増幅やエコー付与などの音声処理を経て、音声出力部１７から放音される。
【００１８】
次に、制御部１１が実施する採点処理の説明をする。
音声入力部１５は、歌唱者の音声を収音し、収音した音声をアナログのオーディオ信号に変換して音声処理部１６に出力する。音声処理部１６は、このアナログのオーディオ信号を、デジタルのオーディオ信号に変換して歌唱データを生成し、制御部１１に供給する。制御部１１は、この歌唱データを取得する。そして、制御部１１は、この歌唱データが示す音声波形から、各音高と、その音高毎の音量とを抽出する。以下では、制御部１１が歌唱データから抽出した音高を「歌唱音高データ」と称し、制御部１１が歌唱音声データから抽出した音量を「歌唱音量データ」と称する。制御部１１は、歌唱音高データ及び歌唱音量データに基づいて歌唱の採点処理を実施する。
【００１９】
図５は、制御部１１が実施する採点処理の流れを示すフローチャートである。
制御部１１は、採点プログラム１２３に記述された手順に従って採点演算処理を開始する（ステップＳ５１）。この採点演算処理は、歌唱データと採点基準データと比較してその一致度を求めるとともに、歌唱データと歌唱基準データとを比較してその一致度を求め、これらの各一致度を採点比重テーブル１２４の内容を考慮して評価し、採点結果を求める。
【００２０】
具体的には、まず、制御部１１は、採点基準データから各音高を時系列に抽出してＲＡＭに記憶するとともに、歌唱基準データからピッチ（基本周波数）、即ち音高を時系列に抽出するとともに、その音高に対応する音量を時系列に抽出して、それぞれＲＡＭに記憶する。次に、制御部１１は、音声処理部１６によって抽出された歌唱音高データと採点基準データの音高との差分を求めてＲＡＭに記憶する。また、制御部１１は、音声処理部１６によって抽出された歌唱音高データと歌唱基準データの音高との差分を求めてＲＡＭに記憶する。さらに、制御部１１は、各音高毎に、音声処理部１６によって抽出された歌唱音量データと歌唱基準データの音量との差分を求めて、ＲＡＭに記憶する。そして、採点の対象となる歌唱が終了すると、制御部１１は、ＲＡＭに記憶された内容、即ち、歌唱データと採点基準データとの差分、及び、歌唱データと歌唱基準データとの差分をそれぞれ集計する。歌唱の採点は、この集計された差分に応じた値となり、この差分の値が大きいほど採点結果は低く算出されることになる。
【００２１】
ここで、歌唱者が、例えば採点基準データで規定された旋律からは少しはずれた歌唱ではあったが、歌唱基準データで規定されている、ため、しゃくり、ビブラートなどの歌唱技巧については比較的良好な歌唱を行ったとする。この場合、制御部１１は、採点基準データとの比較に基づく採点において、旋律からは少しはずれた歌唱部分を採点基準データとの差分として判断して減点の対象とするから、採点結果を例えば７０点と算出する。一方、制御部１１は、歌唱基準データとの比較に基づく採点においては、歌唱者の歌唱技巧が歌唱基準データの内容と比較的一致するから、採点結果を例えば８０点と算出する。また、上記とは逆に、歌唱者が、楽曲の旋律には比較的合っているが、歌唱技巧という点では不足がある歌唱を行った場合、制御部１１は、例えば採点基準データとの比較に基づく採点結果を例えば８０点と算出し、歌唱基準データとの比較に基づく採点結果を例えば７０点と算出する。このように、採点基準データと歌唱基準データとのそれぞれに基づく採点結果には得点差が発生することになる。なお、以下では、制御部１１が、採点基準データとの比較に基づく採点結果を７０点と算出し、歌唱基準データとの比較に基づく採点結果を８０点と算出した場合を例に挙げて説明する。
【００２２】
歌唱された楽曲の採点リファレンスデータ３における得点データとして７０点が記述されていた場合には、その得点データ７０点は、採点比重テーブル１２４の得点データの範囲の「６１〜８０」に該当する。この場合、制御部１１は、採点基準データに基づいて算出された採点結果（７０点）に０．３６を乗じた値（２５．２点）と、歌唱基準データに基づいて算出された採点結果（８０点）に０．６４を乗じた値（４６．２点）を加えた値である（７１．４点）を、歌唱者の歌唱の採点結果として算出する。
【００２３】
次に、制御部１１は、ステップＳ５１で算出した採点結果が、歌唱した楽曲に対応する採点リファレンスデータ３の得点データを超えたか否かを判定する（ステップＳ５２）。そして、制御部１１は、歌唱者の歌唱の採点結果が、採点リファレンスデータ３の得点データを超えたと判断すると（ステップＳ５２；ＹＥＳ）、採点リファレンスデータ３の得点データを歌唱者の歌唱の採点結果で更新するとともに、評価対象としていた歌唱データを採点リファレンスデータ３の歌唱基準データとして記憶部１２に記憶させる（ステップＳ５３）。つまり、評価前の歌唱基準データ及び得点データに代えて、新たに最高得点であると評価された歌唱データ及び得点データが記憶部１２に採点リファレンスデータ３として記憶されることになる。そして、制御部１１は、歌唱者の歌唱の採点結果を表示部１３に表示する（ステップＳ５４）。なお、ステップＳ５２において、制御部１１は、歌唱者の歌唱の採点結果が、採点リファレンスデータ３の得点データ未満であると判断した場合には、ステップＳ５３の処理をスキップして、ステップＳ５４の採点結果を表示する処理に進む。
【００２４】
一方、例えば、歌唱された楽曲の採点リファレンスデータ３における得点データとして、０点或いは何も記述されていなかった場合には、採点比重テーブル１２４の「０点或いは記述無し」に該当するから、採点基準データに基づいて算出した採点結果を１００％の割合で採用して、歌唱基準データに基づいて算出した採点結果を一切採用しないということを意味している。つまり、制御部１１は、歌唱者の歌唱を採点基準データに基づいて算出した採点結果（７０点）に１．００を乗じた値（７０点）を、歌唱者の歌唱の採点結果（７０点）として算出する。そして、制御部１１は、先述した処理と同様にして、ステップＳ５２以降の処理を実施する。
【００２５】
採点基準データのみを基に歌唱の採点を実施する場合には、作曲時に予め決められる楽曲の旋律どおりに歌唱すると採点結果は高い結果になるが、音符の長さを意図的に変化させて歌唱する歌唱技巧を用いて歌唱すると、楽曲の旋律と歌唱とが一致しないため、採点結果が低い結果になる。よって、例えば、プロの歌手のように非常に優れた歌い手を真似して歌唱しても必ずしも高い採点結果にはならない。
これに対し、上述の実施形態によって歌唱者の歌唱の巧拙を採点する場合には、作曲時に予め決められる採点基準データだけでなく、その楽曲において採点結果が最高得点を得た生の歌唱音声を採点の基準に加味することで、楽曲の旋律から意図的に外すようなレベルの高い歌唱技巧を用いた歌唱を正当に評価するような採点が可能となる。
【００２６】
また、採点比重テーブル１２４は、過去の最高得点が高い場合ほど、歌唱基準データの比重を大きく、過去の最高得点が低い場合ほど、歌唱基準データの比重が小さくするような内容になっている。例えば、或る楽曲についての過去の最高得点が低い場合ということは、過去にその楽曲を採点モードで歌唱したことのある歌唱者の歌唱の巧拙のレベルがそれほど高くはないということを意味する。このような場合に、その歌唱者の歌唱に重点を置いて採点すると、妥当な評価にはならない虞がある。このため、過去の最高得点が低い場合には、歌唱基準データの比重を小さくしている。一方、或る楽曲についての過去の最高得点が高い場合ということは、過去にその楽曲を採点モードで歌唱したことのある歌唱者の歌唱の巧拙のレベルが高いことを意味する。このような場合には、歌唱のレベルの高い歌唱者の歌唱技巧を採点基準に含めることで、歌唱技巧を用いた歌唱を正当に評価することができる。
【００２７】
（３）変形例
（３−１）変形例１
採点リファレンスデータ３の歌唱基準データは、カラオケ装置１を利用した歌唱者の歌声だけではなく、採点モードのサービスを提供する者が予め収録したデータであっても良い。また、図４に示した採点比重テーブル１２４に記述されている得点データの範囲や対応する比重（数値）は、採点モードのサービスを提供する者だけではなく、カラオケ装置の利用者や、歌唱者が選択する採点モードの種類によって設定・変更されるようにしてもよい。カラオケ装置の利用者が、採点比重テーブル１２４に記述されている比重（数値）を設定・変更する場合には、操作部１４を操作して任意の比重をカラオケ装置１に入力すればよい。また、採点基準データとの比較に基づく採点結果の比重を大きくした旋律重視モードと、歌唱基準データとの比較に基づく採点結果の比重を大きくした歌唱技巧重視モードという２つの採点モードについて、それぞれ内容の異なる２種類の採点比重テーブル１２４を記憶部１２に記憶しておき、制御部が１１がこれらをその採点モードに応じて使い分けてもよい。
また、例えば歌唱の専門的な技術を有する人物（例えば歌手）の歌声を歌唱基準データに記述して、さらに採点比重テーブル１２４に歌唱基準データが１．００、且つ採点基準データが０．００となるような採点比重を記述すると、歌唱者は楽曲の旋律だけではなく、歌手の歌い方を模範（物真似）することを加味した採点を行うことが可能となる。
【００２８】
（３−２）変形例２
採点リファレンスデータ３の歌唱基準データは、該当する楽曲における歌唱の採点結果が最高得点であった場合に、歌唱時の歌声が記述されるものとした。しかし、歌唱基準データは、採点結果以外の要素を加味してもよい。例えば図３に示した採点リファレンスデータ３の構造を、歌唱基準データを３件、得点データを３件記述可能とし、制御部１１は、該当の楽曲において歌唱者の採点結果が３位以内であった場合に、歌唱時の歌声を歌唱基準データに、そして採点結果を得点データに記述する。そして、カラオケ装置１の歌唱者が、操作部１４を操作することで所望する楽曲の採点リファレンスデータ３の３件分の歌唱基準データを視聴し、歌唱者自身が好適な歌唱基準データを指定する。すると制御部１１は、歌唱者が好適とした歌唱基準データの得点データに予め決められた点数を加点する。この加点によって採点リファレンスデータ３の歌唱基準データの採点結果の順位が変動する場合もある。つまり、採点リファレンスデータ３に基づいた採点結果が、必ずしも歌唱者が好適とする順位に忠実であるとは限らないので、歌唱者の意思を反映した順位付けが可能となる。
【００２９】
（３−３）変形例３
カラオケ装置１に代わる別の装置が楽曲データ２及び採点リファレンスデータ３を記憶していてもよい。
図６は、カラオケシステム６の全体構成図である。
カラオケ装置６１は、カラオケ装置１の構成に加えて、通信部１８を備えている。通信部１８は、通信回路や通信インタフェースを備えており、ＷＡＮ（Wide Area Network）やＬＡＮ（Local Area Network）などの情報を伝達するための通信網であるネットワーク６２を介して情報管理サーバー６３と通信を行う。また、情報管理サーバー６３の記憶部６３１には、カラオケ装置１の記憶部１２が記憶していた楽曲データ記憶領域１２１及び採点リファレンスデータ記憶領域１２２が設けられており、それぞれ楽曲データ２及び採点リファレンスデータ３が記憶されている。よってカラオケ装置６１は、記憶部１２に楽曲データ記憶領域１２１及び採点リファレンスデータ記憶領域１２２が設けられておらず、ネットワーク６２を介して情報管理サーバー６３に対して、歌唱者によって選択された楽曲の楽曲番号又は楽曲名を通知して、楽曲データ２及び、採点リファレンスデータ３を要求し、それを取得して記憶する。そして、カラオケ装置の制御部１１は、取得した楽曲データ２及び採点リファレンスデータ３を用いて図５に示した処理を行う。また、カラオケ装置６１は、歌唱者からの要求によって楽曲データ２及び、採点リファレンスデータ３を情報管理サーバー６３から逐次取得するのではなく、使用頻度の高いデータを予め設定された条件によって記憶部１２に記憶（キャッシュ）することにより、逐次取得にかかる時間を短縮してもよい。
【００３０】
また、カラオケ装置１に代わる別の装置が採点演算処理を実施してもよい。
例えば、図６のカラオケ装置６１の記憶部１２に記憶されていた採点プログラム１２３及び採点比重テーブル１２４を、カラオケ装置６１の記憶部１２ではなく、情報管理サーバー６３の記憶部６３１に記憶するようにしてもよい。そして、カラオケ装置６１の制御部１１は、音声処理部１６によって抽出した歌唱者の歌唱データを情報管理サーバー６３に通信部１８から送信する。情報管理サーバー６３は、図５のステップＳ５１と同様にして採点演算処理を実施し、歌唱者の歌唱データと採点基準データ、及び歌唱データと歌唱基準データとの一致度をそれぞれ求め、これらの各一致度を採点比重テーブル１２４の内容を考慮して評価し、採点結果を求める。そして、情報管理サーバー６３は、採点結果をカラオケ装置１の通信部１８に送信する。カラオケ装置１の制御部１１は、受信した採点結果を表示部１３に表示する。
【００３１】
以上の変形例によれば、カラオケシステム６の管理者は、情報管理サーバー６３の記憶部６３１に設けられたデータの一元管理が可能となり、それぞれのカラオケ装置６１に対してデータを記憶させる作業の必要性がなくなる。また、カラオケシステム６の管理者は、任意のカラオケ装置６１に対してのみ、予め決められたデータを配信するといった制御も可能となる。なお、図６において１台の情報管理サーバー６３と３台のカラオケ装置６１を図示しているが、ネットワーク６２に接続されるカラオケ装置６１や情報管理サーバー６３の数はこれに限らない。
【００３２】
（３−４）変形例４
上述した実施形態においては、歌唱データと採点基準データ、歌唱データと歌唱基準データのそれぞれに対応する特性情報である音高と音量とを比較して両者の差分に応じて歌唱の採点を行った。しかし、特性情報は、音高と音量に限定されない。つまり、歌唱者の歌唱技巧の採点は、歌唱データと採点基準データと歌唱基準データが共通して有する特性情報が比較されて実施されればよい。
また、歌唱者の歌唱の採点結果は、表示部１３に表示されるとしたが、これに限定されない。例えば、歌唱者の歌唱の採点結果は、音声として読み上げられても良いし、パーソナルコンピューター及び携帯端末などにデータの形式で出力されても良い。
【符号の説明】
【００３３】
１…カラオケ装置、１１…制御部、１２…記憶部、１２１…楽曲データ記憶領域、１２２…採点リファレンスデータ記憶領域、１２３…採点プログラム、１２４…採点比重テーブル、１３…表示部、１４…操作部、１５…音声入力部、１６…音声処理部、１７…音声出力部、１８…通信部、２…楽曲データ、３…採点リファレンスデータ、６…カラオケシステム、６１…カラオケ装置、６２…ネットワーク、６３…情報管理サーバー、６３１…記憶部。
【図１】
2010237258.tif 000003
【図２】
2010237258.tif 000004
【図３】
2010237258.tif 000005
【図４】
2010237258.tif 000006
【図５】
2010237258.tif 000007
【図６】
2010237258.tif 000008